【手続補正書】
【提出日】平成29年9月25日(2017.9.25)
【手続補正１】
【補正対象書類名】特許請求の範囲
【補正対象項目名】全文
【補正方法】変更
【補正の内容】
【特許請求の範囲】
【請求項１】
危険な状態が緩和していることを検出するための方法であって、
ハザード検出器が、前記ハザード検出器の周囲環境に在る前記危険な状態の第１の量を測定することと、
前記ハザード検出器が、前記ハザード検出器のモードを、前記危険な状態の前記測定された第１の量に基づいて予警報状態にセットすることと、
前記ハザード検出器が、前記ハザード検出器の前記周囲環境に在る前記危険な状態の第２の量を測定すること、とを備え、前記第２の量は前記第１の量よりも少なく、前記方法はさらに、
前記ハザード検出器が、前記周囲環境に在る前記危険な状態の前記第２の量に基づいて、前記モードを非警報状態にセットするよう判断することと、
前記周囲環境に在る前記危険な状態の前記第２の量に少なくとも部分的に基づいて、前記ハザード検出器の前記モードを前記予警報状態または警報状態から前記非警報状態にセットするよう判断することに応答して、前記危険な状態が緩和されたという指示を出力することとを備え、
前記危険な状態が緩和されたことは、前記ハザード検出器の前記周囲環境における前記危険な状態の量が減少したことを示す、方法。
【請求項２】
前記出力される指示は、前記ハザード検出器のスピーカによって出力される話し声を含む聴覚的メッセージを含む、請求項１に記載の方法。
【請求項３】
前記ハザード検出器が、当該ハザード検出器が設置された位置の、記憶された指示にアクセスすることをさらに備え、前記聴覚的メッセージは前記位置を示す話し声を含む、請求項２に記載の方法。
【請求項４】
前記出力される指示は、前記非警報状態を示す色を出力する前記ハザード検出器の光を含む、請求項１から３のいずれか１項に記載の方法。
【請求項５】
前記周囲環境に在る前記危険な状態の前記第１の量に少なくとも部分的に基づいて、前記ハザード検出器の前記モードを前記予警報状態にセットするよう判断することに応答して、聴覚的なメッセージを含む前記予警報状態の指示を出力することをさらに備える、請求項１から４のいずれか１項に記載の方法。
【請求項６】
前記予警報状態の前記指示を出力することは、前記予警報状態を示す色のパルス光を出力することを含む、請求項５に記載の方法。
【請求項７】
前記ハザード検出器が、前記ハザード検出器の前記周囲環境に在る前記危険な状態の第３の量を測定することをさらに備え、前記第３の量は前記第１の量および前記第２の量よりも大きく、さらに、
前記ハザード検出器が、前記周囲環境に在る前記危険な状態の前記第３の量に少なくとも部分的に基づいて、前記モードを警報状態にセットするよう判断することを備え、前記警報状態は、前記ハザード検出器の警報を鳴らす、請求項１から６のいずれか１項に記載の方法。
【請求項８】
前記ハザード検出器の前記周囲環境に在る危険な状態の量が、記憶された危険な状態の値より下に留まっている間に、前記ハザード検出器が、閾値時間が経過した、と判断することをさらに備え、
前記モードを非警報状態にセットするよう判断することは、さらに、前記ハザード検出器の前記周囲環境に在る前記危険な状態の量が前記記憶された危険な状態の値より下に留まっている間に前記閾値時間が経過したと判断することに基づく、請求項１から７のいずれか１項に記載の方法。
【請求項９】
ハザード検出器であって、
前記ハザード検出器の周囲環境に在る危険な状態の量を測定するハザードセンサと、
情報を出力する出力コンポーネントと、
１つ以上のプロセッサを含む処理システムとを備え、前記処理システムは前記出力コンポーネントおよび前記ハザードセンサと通信状態にあり、前記処理システムは、
前記ハザード検出器の周囲環境に在る前記危険な状態の第１の量の第１の測定値を前記ハザードセンサから受信し、
前記ハザード検出器のモードを、前記第１の測定値に基づいて、予警報状態または警報状態にセットし、
前記ハザード検出器の前記周囲環境に在る前記危険な状態の第２の量の第２の測定値を前記ハザードセンサから受信し、
前記第２の測定値に基づいて、前記モードを非警報状態にセットするよう判断し、
前記周囲環境に在る前記危険な状態の前記第２の量に少なくとも部分的に基づいて、前記ハザード検出器の前記モードを前記警報状態または前記予警報状態から前記非警報状態にセットするよう判断することに応答して、前記危険な状態が緩和されたという指示を前記出力コンポーネントによって出力させるよう構成され、前記危険な状態が緩和されたことは、前記ハザード検出器の前記周囲環境における前記危険な状態が消え去ったことを示す、ハザード検出器。
【請求項１０】
前記出力コンポーネントによって出力される前記指示は、話し声を含む聴覚的メッセージを含む、請求項９に記載のハザード検出器。
【請求項１１】
前記処理システムは、さらに、前記ハザード検出器が設置される場所の、記憶された指示にアクセスするよう構成され、前記聴覚的メッセージは前記場所を示す話し声を含む、請求項９または１０に記載のハザード検出器。
【請求項１２】
前記出力される前記指示は、前記非警報状態を示す色のついた光を出力する前記出力コンポーネントの光を含む、請求項９から１１のいずれか１項に記載のハザード検出器。
【請求項１３】
前記処理システムは、さらに、
前記ハザード検出器の前記モードを前記予警報状態にセットするよう判断することに応答して、前記出力コンポーネントによって前記予警報状態の指示を出力させるよう構成され、前記指示は聴覚的メッセージを含む、請求項９から１２のいずれか１項に記載のハザード検出器。
【請求項１４】
前記出力コンポーネントが前記予警報状態の前記指示を出力することは、前記出力コンポーネントが前記予警報状態を示す色のパルス光を出力することを含む、請求項１３に記載のハザード検出器。
【請求項１５】
前記処理システムは、さらに、前記ハザード検出器の前記周囲環境に在る前記危険な状態の第３の量の第３の測定値を前記ハザードセンサから受信するよう構成され、前記第３の量は前記第１の量および前記第２の量よりも大きく、前記処理システムは、さらに、
前記第３の測定値に少なくとも部分的に基づいて、前記モードを警報状態にセットするよう判断するよう構成され、前記警報状態は、前記ハザード検出器の警報を鳴らす、請求項９から１４のいずれか１項に記載のハザード検出器。
【請求項１６】
前記処理システムは、さらに、
前記ハザードセンサによって測定される、前記周囲環境に在る前記危険な状態の量が、記憶された危険な状態の値より下に留まっている間に、閾値時間が経過した、と判断するよう構成され、
前記１つ以上のプロセッサは、さらに、前記周囲環境に在る前記危険な状態の前記量が前記記憶された危険な状態の値より下に留まっている間に前記閾値時間が経過したと判断することに基づいて、前記モードを非警報状態にセットするよう判断するよう構成される、請求項９から１５のいずれか１項に記載のハザード検出器。
【請求項１７】
ハザード検出器のためのプロセッサ読取可能なプログラムであって、前記プログラムはプロセッサ読取可能な命令を含み、前記プロセッサ読取可能な命令は、前記ハザード検出器の１つ以上のプロセッサに、
前記ハザード検出器の周囲環境に在る危険な状態の第１の量の第１の測定値をハザードセンサから受信させ、
前記ハザード検出器のモードを、前記第１の測定値に基づいて、予警報または警報状態にセットさせ、
前記ハザード検出器の前記周囲環境に在る前記危険な状態の第２の量の第２の測定値を前記ハザードセンサから受信させ、
前記第２の測定値に基づいて、前記モードを非警報状態にセットするよう判断させ、
前記第２の測定値に少なくとも部分的に基づいて前記ハザード検出器の前記モードを前記非警報状態にセットするよう判断することに応答して、前記危険な状態が緩和されたという指示を前記ハザード検出器によって出力させるよう構成され、前記危険な状態が緩和されたことは、前記ハザード検出器の前記周囲環境における前記危険な状態の量が減少したことを示す、プログラム。
【請求項１８】
前記ハザード検出器が位置する部屋の、記憶された指示にアクセスすることをさらに備え、
前記危険な状態が緩和されたという前記指示を出力させることは、前記部屋を示す聴覚的メッセージを出力することを含む、請求項１７に記載のプログラム。
【請求項１９】
ハザード検出器のためのプロセッサ読取可能なプログラムであって、前記プログラムはプロセッサ読取可能な命令を含み、前記プロセッサ読取可能な命令は、前記ハザード検出器の１つ以上のプロセッサに、請求項１から８のいずれか１項に記載の方法を実行させるプログラム。